(57)【要約】【課題】  テレビ電話機能を持つ相手先の端末に画像情報とともに文字情報を表示させることが可能なテレビ電話システムを提供する。【解決手段】  携帯電話機１は相手端末と通話状態となったら、マルチタスク制御部１１にて機能メニューによって本機能である文字メッセージ作成の項目選択し、文字編集画面を起動する。表示装置１５に表示された文字編集画面では決められた文字数以内で文字が入力され、文字が決定されると、画像処理部１４にてその文字を携帯電話機１のカメラ１３で撮影中の画像または予め蓄積された代替え画像にはめ込み、無線通信部１２を介して相手端末に送信する。【選択図】      図１
2006080702.tif 000002
【特許請求の範囲】
【請求項１】
通信端末装置間でテレビ電話を行うテレビ電話システムであって、
前記テレビ電話にて通話中に入力された文字情報を前記テレビ電話にて転送される画像情報にはめ込む画像処理手段と、前記画像処理手段で前記文字情報がはめ込まれた画像情報を相手先の通信端末装置に送信する手段とを発信元の通信端末装置に有し、
前記相手先の通信端末装置の画面に前記文字情報がはめ込まれた画像情報を表示することを特徴とするテレビ電話システム。
【請求項２】
前記文字情報に縁取りして前記テレビ電話にて転送される画像情報にはめ込むことを特徴とする請求項１記載のテレビ電話システム。
【請求項３】
前記文字情報のサイズを認識可能な最小サイズにして前記テレビ電話にて転送される画像情報にはめ込むことを特徴とする請求項１または請求項２記載のテレビ電話システム。
【請求項４】
前記文字情報を入力するための日本語変換機能と、前記文字情報を編集するための編集機能とを前記発信元の通信端末装置に含むことを特徴とする請求項１から請求項３のいずれか記載のテレビ電話システム。
【請求項５】
前記画像処理手段は、前記文字情報を前記画像情報において外部から指定された位置にはめ込むことを特徴とする請求項１から請求項４のいずれか記載のテレビ電話システム。
【請求項６】
手書き文字を入力する手書き文字入力手段を前記発信元の通信端末装置に含み、前記手書き文字入力手段で入力された手書き文字を前記テレビ電話にて転送される画像情報にはめ込むことを特徴とする請求項１から請求項５のいずれか記載のテレビ電話システム。
【請求項７】
前記通信端末装置は、移動体通信システムの携帯電話機であることを特徴とする請求項１から請求項６のいずれか記載のテレビ電話システム。
【請求項８】
前記画像情報にはめ込まれた前記文字情報は、予め設定された所定時間後に消去されることを特徴とする請求項１から請求項７のいずれか記載のテレビ電話システム。
【請求項９】
前記文字情報は、前記所定時間後に消去される前に新たな文字情報の入力があった時に当該新たな文字情報で上書きされて消去されることを特徴とする請求項８記載のテレビ電話システム。
【請求項１０】
相手先の端末装置との間でテレビ電話を行う通信端末装置であって、
前記テレビ電話にて通話中に入力された文字情報を前記テレビ電話にて転送される画像情報にはめ込む画像処理手段と、前記画像処理手段で前記文字情報がはめ込まれた画像情報を前記相手先の端末装置に送信する手段とを有し、
前記相手先の端末装置の画面に前記文字情報がはめ込まれた画像情報を表示させることを特徴とする通信端末装置。
【請求項１１】
前記文字情報に縁取りして前記テレビ電話にて転送される画像情報にはめ込むことを特徴とする請求項１０記載の通信端末装置。
【請求項１２】
前記文字情報のサイズを認識可能な最小サイズにして前記テレビ電話にて転送される画像情報にはめ込むことを特徴とする請求項１０または請求項１１記載の通信端末装置。
【請求項１３】
前記文字情報を入力するための日本語変換機能と、前記文字情報を編集するための編集機能とを含むことを特徴とする請求項１０から請求項１２のいずれか記載の通信端末装置。
【請求項１４】
前記画像処理手段は、前記文字情報を前記画像情報において外部から指定された位置にはめ込むことを特徴とする請求項１０から請求項１３のいずれか記載の通信端末装置。
【請求項１５】
手書き文字を入力する手書き文字入力手段を含み、前記手書き文字入力手段で入力された手書き文字を前記テレビ電話にて転送される画像情報にはめ込むことを特徴とする請求項１０から請求項１４のいずれか記載の通信端末装置。
【請求項１６】
移動体通信システムの携帯電話機であることを特徴とする請求項１０から請求項１５のいずれか記載の通信端末装置。
【請求項１７】
前記画像情報にはめ込まれた前記文字情報は、予め設定された所定時間後に消去されることを特徴とする請求項１０から請求項１６のいずれか記載の通信端末装置。
【請求項１８】
前記文字情報は、前記所定時間後に消去される前に新たな文字情報の入力があった時に当該新たな文字情報で上書きされて消去されることを特徴とする請求項１７記載の通信端末装置。
【請求項１９】
通信端末装置間でテレビ電話を行うテレビ電話システムに用いられる文字情報送信方法であって、発信元の通信端末装置側に、前記テレビ電話にて通話中に入力された文字情報を前記テレビ電話にて転送される画像情報にはめ込むステップと、前記文字情報がはめ込まれた画像情報を相手先の通信端末装置に送信するステップとを有し、前記相手先の通信端末装置の画面に前記文字情報がはめ込まれた画像情報を表示させることを特徴とする文字情報送信方法。
【請求項２０】
前記文字情報に縁取りして前記テレビ電話にて転送される画像情報にはめ込むことを特徴とする請求項１９記載の文字情報送信方法。
【請求項２１】
前記文字情報のサイズを認識可能な最小サイズにして前記テレビ電話にて転送される画像情報にはめ込むことを特徴とする請求項１９または請求項２０記載の文字情報送信方法。
【請求項２２】
前記文字情報を入力するための日本語変換機能と、前記文字情報を編集するための編集機能とを前記発信元の通信端末装置に含むことを特徴とする請求項１９から請求項２１のいずれか記載の文字情報送信方法。
【請求項２３】
前記文字情報を前記テレビ電話にて転送される画像情報にはめ込むステップは、前記文字情報を前記画像情報において外部から指定された位置にはめ込むことを特徴とする請求項１９から請求項２２のいずれか記載の文字情報送信方法。
【請求項２４】
前記発信元の通信端末装置側に、手書き文字を入力するステップを含み、その入力された手書き文字を前記テレビ電話にて転送される画像情報にはめ込むことを特徴とする請求項１９から請求項２３のいずれか記載の文字情報送信方法。
【請求項２５】
前記通信端末装置が移動体通信システムの携帯電話機であることを特徴とする請求項１９から請求項２４のいずれか記載の文字情報送信方法。
【請求項２６】
前記画像情報にはめ込まれた前記文字情報は、予め設定された所定時間後に消去されることを特徴とする請求項１９から請求項２５のいずれか記載の文字情報送信方法。
【請求項２７】
前記文字情報は、前記所定時間後に消去される前に新たな文字情報の入力があった時に当該新たな文字情報で上書きされて消去されることを特徴とする請求項２６記載の文字情報送信方法。
【請求項２８】
通信端末装置間でテレビ電話を行うテレビ電話システムに用いられる文字情報送信方法のプログラムであって、コンピュータに、前記テレビ電話にて通話中に入力された文字情報を前記テレビ電話にて転送される画像情報にはめ込む処理と、前記文字情報がはめ込まれた画像情報を相手先の通信端末装置に送信する処理とを実行させ、前記相手先の通信端末装置の画面に前記文字情報がはめ込まれた画像情報を表示させるためのプログラム。
【発明の詳細な説明】
【技術分野】
【０００１】
本発明はテレビ電話システム、通信端末装置及びそれに用いる文字情報送信方法並びにそのプログラムに関し、特にテレビ電話における文字情報の送信方法に関する。
【背景技術】
【０００２】
従来、テレビ電話システムにおいては、音声と画像（動画）とを用いて発信元及び着信先にて通信が行われている。また、従来のテレビ電話システムでは、新規機能を追加したとしても、当該機能を備えた端末同士でしかその機能を使うことができない。
【０００３】
上記の新規機能としては、発信元から画像と音声と文字列と文字列の表示位置とを送信し、着信先でそれらを受信して文字列をグラフィックデータとし、グラフィックデータを画像データと混合して出力するものがある（例えば、特許文献１参照）。
【０００４】
また、他の新規機能としては、着信先で文字情報と画像情報とを受信し、文字を文字用ＬＣＤ（Ｌｉｑｕｉｄ  Ｃｒｙｓｔａｌ  Ｄｉｓｐｌａｙ）に、画像を画像用ＬＣＤにそれぞれ表示し、それらのＬＣＤを重ね合わせて配置することで、画像表示が文字表示を透過して表示するように構成されるものがある（例えば、特許文献２参照）。
【０００５】
さらに、別の新規機能としては、テレビ会議システムで送信側で任意の文字列をスーパインポーズし、受信側でその文字列を抽出して認識する技術（例えば、特許文献３参照）、テレビ電話で送信された文字列を受信してモニタに表示する技術（例えば、特許文献４参照）、テレビ電話で音声信号から自動翻訳し、その翻訳テキストを字幕のように合成表示する技術（例えば、特許文献５参照）、テレビ会議システムで画面を分割し、画像と任意の文字や図形とを一画面に表示する技術（例えば、特許文献６参照）等がある。
【０００６】
【特許文献１】特開２００３−０２３６１２号公報
【特許文献２】特開２０００−２３１２６号公報
【特許文献３】特開平９−１３５４２８号公報
【特許文献４】特開平６−２２５２９５号公報
【特許文献５】特開平５−２６０１９３号公報
【特許文献６】特開平５−３７９３０号公報
【発明の開示】
【発明が解決しようとする課題】
【０００７】
上述した従来のテレビ電話システムでは、上記の特許文献１〜６に示すように、新規機能を追加したとしても、当該機能を備えた端末同士でしかその機能を使うことができないという問題がある。
【０００８】
そこで、本発明の目的は上記の問題点を解消し、テレビ電話機能を持つ相手先の端末に画像情報とともに文字情報を表示させることができるテレビ電話システム、通信端末装置及びそれに用いる文字情報送信方法並びにそのプログラムを提供することにある。
【課題を解決するための手段】
【０００９】
本発明によるテレビ電話システムは、通信端末装置間でテレビ電話を行うテレビ電話システムであって、
前記テレビ電話にて通話中に入力された文字情報を前記テレビ電話にて転送される画像情報にはめ込む画像処理手段と、前記画像処理手段で前記文字情報がはめ込まれた画像情報を相手先の通信端末装置に送信する手段とを発信元の通信端末装置に備え、
前記相手先の通信端末装置の画面に前記文字情報がはめ込まれた画像情報を表示している。
【００１０】
本発明による通信端末装置は、相手先の端末装置との間でテレビ電話を行う通信端末装置であって、
前記テレビ電話にて通話中に入力された文字情報を前記テレビ電話にて転送される画像情報にはめ込む画像処理手段と、前記画像処理手段で前記文字情報がはめ込まれた画像情報を前記相手先の端末装置に送信する手段とを備え、
前記相手先の端末装置の画面に前記文字情報がはめ込まれた画像情報を表示させている。
【００１１】
本発明による文字情報送信方法は、通信端末装置間でテレビ電話を行うテレビ電話システムに用いられる文字情報送信方法であって、発信元の通信端末装置側に、前記テレビ電話にて通話中に入力された文字情報を前記テレビ電話にて転送される画像情報にはめ込むステップと、前記文字情報がはめ込まれた画像情報を相手先の通信端末装置に送信するステップとを備え、前記相手先の通信端末装置の画面に前記文字情報がはめ込まれた画像情報を表示させている。
【００１２】
本発明による文字情報送信方法のプログラムは、通信端末装置間でテレビ電話を行うテレビ電話システムに用いられる文字情報送信方法のプログラムであって、コンピュータに、前記テレビ電話にて通話中に入力された文字情報を前記テレビ電話にて転送される画像情報にはめ込む処理と、前記文字情報がはめ込まれた画像情報を相手先の通信端末装置に送信する処理とを実行させ、前記相手先の通信端末装置の画面に前記文字情報がはめ込まれた画像情報を表示させている。
【００１３】
すなわち、本発明のテレビ電話システムは、テレビ電話にて通話中に入力された文字情報を、テレビ電話にて転送される画像情報にはめ込んで送信し、相手先の画面に文字情報がはめ込まれた画像情報を表示することを特徴としている。
【００１４】
本発明のテレビ電話システムでは、リアルタイムに相手側の画像を見ながら、双方向に音声通信が可能となっているが、音声では伝えにくい情報を文字によって伝えるようにしている。
【００１５】
この場合、本発明のテレビ電話システムでは、通話をしながら、任意の文字列を入力し、相手にその文字を表示するために、通信中の動画画面に文字列をはめ込んで送信することで、相手先の画面への送信・表示を行っている。そのため、本発明のテレビ電話システムでは、送信先に従来のテレビ電話機能を備えた端末があれば、テレビ電話の画像情報とともに文字情報も受信することが可能となる。
【００１６】
より具体的に説明すると、本発明のテレビ電話システムでは、テレビ電話機能を持つ発信元の端末に、文字列を編集するための機能、任意の文字列を入力するための日本語変換機能、入力した文字列をテレビ電話画像にはめ込む機能を備えている。この場合、この端末にはテレビ電話を行いながら、文字列編集を行うため、マルチタスク制御も可能である必要がある。これに対し、相手先の端末には上記の端末と同じ機能を備えるか、あるいはテレビ電話機能だけあれば、文字列がはめ込まれたテレビ電話画像を受信することが可能である。
【００１７】
これによって、本発明のテレビ電話システムでは、テレビ電話画像に文字列をはめ込むことで、相手に声だけでは伝えられない文字情報を伝えることが可能となる。また、本発明のテレビ電話システムでは、テレビ電話画像に文字列をはめ込むことで、相手先の端末に特別な機能がなくても、文字列がはめ込まれたテレビ電話画像を画面に表示することが可能となる。
【００１８】
よって、本発明のテレビ電話システムでは、電話でありながら、音声ではなく、文字でメッセージを送ることが可能となり、テレビ電話機能さえあれば、相手端末に特別な機能がなくても、それらの受信が可能となり、使用者の画像に文字を重ねることで、使用者自身が話しているかのように表現することが可能となる。
【発明の効果】
【００１９】
本発明は、以下に述べるような構成及び動作とすることで、テレビ電話機能を持つ相手先の端末に画像情報とともに文字情報を表示させることができるという効果が得られる。
【発明を実施するための最良の形態】
【００２０】
次に、本発明の実施例について図面を参照して説明する。図１は本発明の一実施例による携帯電話機の構成を示すブロック図である。図１において、携帯電話機１はマルチタスク制御部（ＣＰＵ：中央処理装置）１１と、通信を行う無線通信部１２と、動画を入力するためのカメラ１３と、カメラ１３からの画像と文字列とを合成するための画像処理部１４と、表示装置１５と、文字を入力するための入力装置１６と、マルチタスク制御部１１で実行されるプログラムを格納する記録媒体１７とから構成されている。尚、無線通信部１２については、当業者にとってよく知られており、その説明を省略する。
【００２１】
図２は図１のマルチタスク制御部１１の構成例を示すブロック図である。図２において、マルチタスク制御部１１はテレビ電話を行うテレビ電話機能１１１と、文字列を入力・編集するためのメッセージ作成機能１１２と、文字列をテレビ電話画像にはめ込む画像合成機能１１３と、任意の文字を入力するための日本語変換機能１１４と、入力された文字をテレビ画面にはめ込むための加工をする文字列加工機能１１５とから構成されている。尚、マルチタスク制御部１１はテレビ電話を行いながら文字列編集を行うため、上述の各機能が複数同時に動くためのマルチタスク制御をも行っている。
【００２２】
図３は本発明の一実施例によるユーザインタフェースの流れを示す図であり、図４は本発明の一実施例による画像への文字列のはめ込み例を示す図であり、図５は本発明の一実施例によるはめ込み用文字列の一例を示す図であり、図６は本発明の一実施例による携帯電話機１の動作を示すフローチャートである。これら図１〜図６を参照して本発明の一実施例による携帯電話機１の動作について説明する。尚、図６に示す処理はマルチタスク制御部１１が記録媒体１７のプログラムを実行することで実現される。
【００２３】
一般に、テレビ電話では相手端末に自分の画像を送信しながら、音声のやりとりを行っている。本実施例では、テレビ電話の通話中に文字を入力し、自分の画像に文字を重ねることで、相手端末に画像として文字もいっしょに送信する。
【００２４】
よって、相手端末では受け取った画像をそのまま表示するだけで、メッセージも見ることができるので、相手端末にはテレビ電話の機能さえあれば、文字によるメッセージを受け取ることができる。また、メッセージは既知の日本語変換機能１１４を使うことで、自端末で表示できるすべての文字を入力することができ、送信することができる。
【００２５】
画像にはめ込むメッセージは、画像のじゃまにならないように考慮される。例えば、画面下１／３に収まるように文字数や行数を制限し、かつメッセージとして伝えられる最低文字数を考慮する。また、テレビ電話の画質は現技術では限界があり、文字が見えなくなる危険がある。そのため、はめ込む文字の大きさ・色・太さ・形についても考慮する。
【００２６】
本実施例では、通常のテレビ電話と同様に、相手端末に電話をかけ、相手端末と通話状態となったら、機能メニューによって本機能である文字メッセージ作成の項目選択し、文字編集画面を起動することで（図６ステップＳ１，Ｓ２）、文字列の編集を行う（図６ステップＳ３）。文字編集画面では決められた文字数以内で文字を入力する（図６ステップＳ３〜Ｓ５）。入力可能な文字は携帯電話機１に内蔵されている文字すべてとする。
【００２７】
文字を決定すると、携帯電話機１は携帯電話機１のカメラ１３で撮影中の画像または予め蓄積された代替え画像に文字列がはめ込まれていなければ（図６ステップＳ６）、決定した文字列をカメラ１３で撮影中の画像または予め蓄積された代替え画像にはめ込み（図６ステップＳ８）、相手端末に送信する（図６ステップＳ９）（図３参照）。
【００２８】
携帯電話機１は文字列をはめ込んだ画像を相手端末に送信してから予め設定された所定時間が経過すると（図６ステップＳ１０）、相手端末に送信する画像を、その文字がはめ込まれていないカメラ１３で撮影中の画像または予め蓄積された代替え画像に戻す（図６ステップＳ１１）。携帯電話機１は文字をはめ込んだ画像を相手端末に送信してから予め設定された所定時間が経過していなければ（図６ステップＳ１０）、ステップＳ１に戻って文字編集画面を起動する。
【００２９】
一方、文字を決定すると、携帯電話機１はカメラ１３で撮影中の画像または予め蓄積された代替え画像に文字列がはめ込まれていれば（図６ステップＳ６）、カメラ１３で撮影中の画像または予め蓄積された代替え画像に戻し（図６ステップＳ７）、決定した文字列をカメラ１３で撮影中の画像または予め蓄積された代替え画像にはめ込み（図６ステップＳ８）、相手端末に送信する（図６ステップＳ９）。つまり、新たに決定された文字列は上記の画像にはめ込まれた文字列に上書きされて相手端末に送信される。
【００３０】
ここで、代替え画像とは携帯電話機１のカメラ１３でリアルタイムに撮影をしている画像の代わりに、相手端末に送信する画像である。この代替え画像は静止画・動画によらず、上記の機能によって文字を入れることを可能としている。また、携帯電話機１の子画面（図示せず）において、送信中の文字列の様子をモニタリング可能としている。上記の処理が、本実施例による基本動作となる。
【００３１】
現行の技術では、圧縮率や電波状態によりテレビ電話の画質は期待できない。そこで、本実施例では、図４及び図５に示すように、画像にはめ込む文字の大きさ、画像の色によって文字が沈み込まないように、文字の輪郭を文字の色とは違う色で縁取りして浮き立たせることを考慮する。
【００３２】
このように、本実施例では、テレビ電話でありながら、音声ではなく、文字でメッセージを送ることができ、テレビ電話の機能さえあれば、相手端末に特別な機能がなくても受信が可能となる。また、本実施例では、自分の写った画面に文字を重ねることで、自分が話しているかのように表現することが可能である。
【００３３】
尚、本実施例では、フォントの種類を増やしたり、フォントを加工する機能と組み合わせると、はめ込む文字に関して表現力が増す。また、本実施例では、文字列と画像とを組み合わせて重ねることで、吹き出し等の表現も可能となる。
【００３４】
図７は本発明の他の実施例による携帯電話機の動作を示すフローチャートである。本発明の他の実施例による携帯電話機は図１及び図２に示す本発明の一実施例による携帯電話機１の構成と同様であり、その基本的な動作は上述した本発明の一実施例による携帯電話機１の動作と同様である。
【００３５】
本発明の他の実施例による携帯電話機では、補助機能として、画面にはめ込む文字のはめ込む場所の設定を持つことを可能としている。以下、図１〜図５及び図７を参照して本発明の他の実施例による携帯電話機の動作について説明する。尚、図７に示す処理はマルチタスク制御部１１が記録媒体１７のプログラムを実行することで実現される。
【００３６】
本実施例では、通常のテレビ電話と同様に、相手端末に電話をかけ、相手端末と通話状態となったら、機能メニューによって本機能である文字メッセージ作成の項目選択し、文字編集画面を起動することで（図７ステップＳ２１，Ｓ２２）、文字列の編集を行う（図７ステップＳ２３）。文字編集画面では決められた文字数以内で文字を入力する（図７ステップＳ２３〜Ｓ２５）。入力可能な文字は携帯電話機１に内蔵されている文字すべてとする。
【００３７】
文字を決定すると、携帯電話機１は携帯電話機１のカメラ１３で撮影中の画像または予め蓄積された代替え画像に文字列がはめ込まれていなければ（図７ステップＳ２６）、はめ込み位置が指定された場合（図７ステップＳ２８）、その文字列をカメラ１３で撮影中の画像または予め蓄積された代替え画像の指定された位置にはめ込み（図７ステップＳ２９）、相手端末に送信する（図７ステップＳ３１）（図３参照）。
【００３８】
また、携帯電話機１ははめ込み位置が指定されなければ（図７ステップＳ２８）、その文字列をカメラ１３で撮影中の画像または予め蓄積された代替え画像の予め設定された所定位置にはめ込み（図７ステップＳ３０）、相手端末に送信する（図７ステップＳ３１）（図３参照）。携帯電話機１は文字をはめ込んだ画像を相手端末に送信してから予め設定された所定時間が経過すると（図７ステップＳ３２）、相手端末に送信する画像を、その文字がはめ込まれていないカメラ１３で撮影中の画像または予め蓄積された代替え画像に戻す（図７ステップＳ３３）。携帯電話機１は文字をはめ込んだ画像を相手端末に送信してから予め設定された所定時間が経過していなければ（図７ステップＳ３２）、ステップＳ２１に戻って文字編集画面を起動する。
【００３９】
一方、文字を決定すると、携帯電話機１はカメラ１３で撮影中の画像または予め蓄積された代替え画像に文字列がはめ込まれていれば（図７ステップＳ２６）、カメラ１３で撮影中の画像または予め蓄積された代替え画像に戻し（図７ステップＳ２７）、はめ込み位置が指定された場合（図７ステップＳ２８）、その文字列をカメラ１３で撮影中の画像または予め蓄積された代替え画像の指定された位置にはめ込み（図７ステップＳ２９）、相手端末に送信する（図７ステップＳ３１）。
【００４０】
また、携帯電話機１ははめ込み位置が指定されなければ（図７ステップＳ２８）、その文字列をカメラ１３で撮影中の画像または予め蓄積された代替え画像の予め設定された所定位置にはめ込み（図７ステップＳ３０）、相手端末に送信する（図７ステップＳ３１）。つまり、新たに決定された文字列は上記の画像にはめ込まれた文字列に上書きされて相手端末に送信される。
【００４１】
このように、本実施例では、文字列と画像とを組み合わせて指定された位置に重ねることで、はめ込む文字に関して表現力が増し、吹き出し等の表現が可能となる。
【００４２】
図８は本発明の別の実施例による携帯電話機の動作を示すフローチャートである。本発明の別の実施例による携帯電話機は図１及び図２に示す本発明の一実施例による携帯電話機１の構成と同様であり、その基本的な動作は上述した本発明の一実施例による携帯電話機１の動作と同様である。
【００４３】
本発明の別の実施例による携帯電話機では、補助機能として、画面にはめ込む文字サイズ、文字の色の設定を持つことを可能としている。以下、図１〜図５及び図８を参照して本発明の別の実施例による携帯電話機の動作について説明する。尚、図８に示す処理はマルチタスク制御部１１が記録媒体１７のプログラムを実行することで実現される。
【００４４】
本実施例では、通常のテレビ電話と同様に、相手端末に電話をかけ、相手端末と通話状態となったら、機能メニューによって本機能である文字メッセージ作成の項目選択し、文字編集画面を起動することで（図８ステップＳ４１，Ｓ４２）、文字列の編集を行う（図８ステップＳ４３）。文字編集画面では決められた文字数以内で文字を入力する（図８ステップＳ４３〜Ｓ４５）。入力可能な文字は携帯電話機１に内蔵されている文字すべてとする。
【００４５】
文字を決定すると、携帯電話機１は携帯電話機１のカメラ１３で撮影中の画像または予め蓄積された代替え画像に文字列がはめ込まれていなければ（図８ステップＳ４６）、画像にはめ込む文字の大きさ、画像の色によって文字が沈み込まないように、文字の輪郭を文字の色とは違う色で縁取りして浮き立たせる等の入力文字列の加工を行い（図８ステップＳ４８）、加工した文字列をカメラ１３で撮影中の画像または予め蓄積された代替え画像にはめ込み（図８ステップＳ４９）、相手端末に送信する（図８ステップＳ５０）（図３参照）。
【００４６】
携帯電話機１は文字をはめ込んだ画像を相手端末に送信してから予め設定された所定時間が経過すると（図８ステップＳ５１）、相手端末に送信する画像を、その文字がはめ込まれていないカメラ１３で撮影中の画像または予め蓄積された代替え画像に戻す（図８ステップＳ５２）。携帯電話機１は文字をはめ込んだ画像を相手端末に送信してから予め設定された所定時間が経過していなければ（図８ステップＳ５１）、ステップＳ４１に戻って文字編集画面を起動する。
【００４７】
一方、文字を決定すると、携帯電話機１はカメラ１３で撮影中の画像または予め蓄積された代替え画像に文字列がはめ込まれていれば（図８ステップＳ４６）、カメラ１３で撮影中の画像または予め蓄積された代替え画像に戻し（図８ステップＳ４７）、入力文字列の加工を行い（図８ステップＳ４８）、加工した文字列をカメラ１３で撮影中の画像または予め蓄積された代替え画像にはめ込み（図８ステップＳ４９）、相手端末に送信する（図８ステップＳ５０）。つまり、新たに決定された文字列は上記の画像にはめ込まれた文字列に上書きされて相手端末に送信される。
【００４８】
このように、本実施例では、画像にはめ込む文字の大きさ、画像の色によって文字が沈み込まないように、文字の輪郭を文字の色とは違う色で縁取りして浮き立たせるような加工を施すことで、相手端末に表示される画像内のメッセージを相手に対して正確に伝えることが可能となる。
【００４９】
図９は本発明のさらに別の実施例による携帯電話機の構成を示すブロック図である。図９において、本発明のさらに別の実施例による携帯電話機２は、手書き入力部２１を追加した以外は、図１に示す本発明の一実施例による携帯電話機と同様の構成となっており、同一構成要素には同一符号を付してある。また、同一構成要素の動作は本発明の一実施例と同様である。
【００５０】
図１０は本発明のさらに別の実施例による携帯電話機の動作を示すフローチャートである。本発明のさらに別の実施例による携帯電話機２のマルチタスク制御部１１の構成は図２に示す本発明の一実施例による携帯電話機１のマルチタスク制御部１１の構成と同様であり、その基本的な動作は上述した本発明の一実施例による携帯電話機１の動作と同様である。
【００５１】
本発明のさらに別の実施例による携帯電話機では、補助機能として、手書き入力部２１を付加することで、手書きの文字を画像にはめ込んで送信することを可能としている。以下、図２〜図５と図９と図１０とを参照して本発明のさらに別の実施例による携帯電話機の動作について説明する。尚、図１０に示す処理はマルチタスク制御部１１が記録媒体１７のプログラムを実行することで実現される。
【００５２】
本実施例では、通常のテレビ電話と同様に、相手端末に電話をかけ、相手端末と通話状態となったら、機能メニューによって本機能である文字メッセージ作成の項目選択し、文字編集画面を起動する（図１０ステップＳ６１，Ｓ６２）。文字編集画面では入力方法が手書きか、入力装置１６のキー入力かが選択される。
【００５３】
携帯電話機２は手書き入力の場合（図１０ステップＳ６３）、携帯電話機２のカメラ１３で撮影中の画像または予め蓄積された代替え画像に文字列がはめ込まれていなければ（図１０ステップＳ６７）、手書き入力された文字列をカメラ１３で撮影中の画像または予め蓄積された代替え画像にはめ込み（図１０ステップＳ６９）、相手端末に送信する（図１０ステップＳ７０）（図３参照）。
【００５４】
また、携帯電話機２はキー入力の場合（図１０ステップＳ６３）、文字列の編集を行い、決められた文字数以内で文字を入力する（図１０ステップＳ６４〜Ｓ６６）。入力可能な文字は携帯電話機２に内蔵されている文字すべてとする。文字が決定されると、携帯電話機２はキー入力された文字列をカメラ１３で撮影中の画像または予め蓄積された代替え画像にはめ込み（図１０ステップＳ６９）、相手端末に送信する（図１０ステップＳ７０）（図３参照）。
【００５５】
携帯電話機２は文字をはめ込んだ画像を相手端末に送信してから予め設定された所定時間が経過すると（図１０ステップＳ７１）、相手端末に送信する画像を、その文字がはめ込まれていないカメラ１３で撮影中の画像または予め蓄積された代替え画像に戻す（図１０ステップＳ７２）。携帯電話機２は文字をはめ込んだ画像を相手端末に送信してから予め設定された所定時間が経過していなければ（図１０ステップＳ７１）、ステップＳ６１に戻って文字編集画面を起動する。      
【００５６】
一方、文字を決定すると、携帯電話機２はカメラ１３で撮影中の画像または予め蓄積された代替え画像に文字列がはめ込まれていれば（図１０ステップＳ６７）、カメラ１３で撮影中の画像または予め蓄積された代替え画像に戻し（図１０ステップＳ６８）、手書き入力された文字列またはキー入力された文字列をカメラ１３で撮影中の画像または予め蓄積された代替え画像にはめ込み（図１０ステップＳ６９）、相手端末に送信する（図１０ステップＳ７０）。つまり、新たに決定された文字列は上記の画像にはめ込まれた文字列に上書きされて相手端末に送信される。
【００５７】
このように、本実施例では、手書き入力部２１を付加することで、手書きの文字を画像にはめ込んで送信することができる。この場合においても、送信画面に重ね合わせるため、相手端末ではテレビ電話機能のみを有すればよい。
【産業上の利用可能性】
【００５８】
本発明は、上述した携帯電話機に限らず、リアルタイムな画像を用いた電話（通信）で有効な機能であり、テレビ電話が可能な各種端末［ＰＣ（パーソナルコンピュータ）、ＰＤＡ（Ｐｅｒｓｏｎａｌ  Ｄｉｇｉｔａｌ  Ａｓｓｉｓｔａｎｔ）、その他の通信端末装置等］にも適用可能である。
【図面の簡単な説明】
【００５９】
【図１】本発明の一実施例による携帯電話機の構成を示すブロック図である。
【図２】図１のマルチタスク制御部の構成例を示すブロック図である。
【図３】本発明の一実施例によるユーザインタフェースの流れを示す図である。
【図４】本発明の一実施例による画像への文字列のはめ込み例を示す図である。
【図５】本発明の一実施例によるはめ込み用文字列の一例を示す図である。
【図６】本発明の一実施例による携帯電話機１の動作を示すフローチャートである。
【図７】本発明の他の実施例による携帯電話機の動作を示すフローチャートである。
【図８】本発明の別の実施例による携帯電話機の動作を示すフローチャートである。
【図９】本発明のさらに別の実施例による携帯電話機の構成を示すブロック図である。
【図１０】本発明のさらに別の実施例による携帯電話機の動作を示すフローチャートである。
【符号の説明】
【００６０】
１，２  携帯電話機
１１  マルチタスク制御部
１２  無線通信部
１３  カメラ
１４  画像処理部
１５  表示装置
１６  入力装置
１７  記録媒体
２１  手書き入力部
１１１  テレビ電話機能
１１２  メッセージ作成機能
１１３  画像合成機能
１１４  日本語変換機能
１１５  文字列加工機能
【図１】
2006080702.tif 000003
【図２】
2006080702.tif 000004
【図３】
2006080702.tif 000005
【図４】
2006080702.tif 000006
【図５】
2006080702.tif 000007
【図６】
2006080702.tif 000008
【図７】
2006080702.tif 000009
【図８】
2006080702.tif 000010
【図９】
2006080702.tif 000011
【図１０】
2006080702.tif 000012